(57)【要約】【課題】節句用飾り台の外観上の体裁を良くし、装飾部がアクセントとなって、毛氈自体の装飾性が増し、より豪華な雰囲気の中で節句用飾りを飾ることができ、構成簡素で、製造し易く、量産に適し、低廉で、経済的に優れた節句用飾り台の毛氈を提供する。【解決手段】三月節句人形、五月節句人形、鎧、兜、その他の節句用飾りを載置する飾り台３の上に敷設する毛氈Ａであって、少なくとも飾り台３の載置面や正面部分を覆えるような矩形状の毛氈基体１を形成し、この毛氈基体１の表面がわの一部に装飾部２を形成すると共に、この装飾部２の色彩或いは素材を、毛氈基体１の色彩或いは素材と異ならしめるように形成する。【選択図】図２
0003156154.tif 000002
【実用新案登録請求の範囲】
【請求項１】
三月節句人形、五月節句人形、鎧、兜、その他の節句用飾りが載置される飾り台の上に敷設される毛氈であって、少なくとも飾り台の載置面や正面部分を覆えるような矩形状の毛氈基体を形成し、この毛氈基体の表面がわの一部に装飾部を形成すると共に、この装飾部の色彩或いは素材を、毛氈基体の色彩或いは素材と異ならしめるように形成したことを特徴とする節句用飾り台の毛氈。
【請求項２】
前記装飾部は、シート状に形成され、これを毛氈基体の上に重なるように固着したことを特徴とする請求項１記載の節句用飾り台の毛氈。
【請求項３】
前記装飾部は、シート状に形成され、これを毛氈基体に対して突合せ状態となるように固着したことを特徴とする請求項１記載の節句用飾り台の毛氈。
【考案の詳細な説明】
【技術分野】
【０００１】
本考案は、主に、三月節句人形、五月節句人形、鎧、兜、その他の節句用飾りが載置される飾り台の上に敷設される毛氈に係り、特に、装飾性に優れ、豪華な雰囲気を醸し出せ、しかも、構成簡素で、製造し易く、低廉に提供できる経済的な節句用飾り台の毛氈に関するものである。
【背景技術】
【０００２】
従来、この種の節句用飾り台の毛氈としては、例えば、本願出願人によって特許文献１に示すような節句用飾り台が出願されており、この節句用飾り台に於いて毛氈が開示されている。そして、この毛氈は、基台の上に被せられ、しかも、金彩、金糸等の刺繍による装飾が施されたものである。
【先行技術文献】
【特許文献】
【０００３】
【特許文献１】実用新案登録第３０４５０５４号公報
【考案の概要】
【考案が解決しようとする課題】
【０００４】
しかしながら、前述の如き毛氈にあっては、金彩、金糸等の刺繍による装飾は、豪華な雰囲気を醸し出すことはできるが、装飾自体に手間がかかると共に、コスト高となる難点があった。
【０００５】
そこで、本考案は、前述の如き難点等を解消して、装飾性に優れ、豪華な雰囲気を醸し出せ、しかも、構成簡素で、製造し易く、低廉で、経済的な節句用飾り台の毛氈を提供できるようにすべく案出されたものである。
【課題を解決するための手段】
【０００６】
しかして、前述の如き課題等を達成すべく、請求項１記載の節句用飾り台の毛氈Ａにあっては、三月節句人形、五月節句人形、鎧、兜、その他の節句用飾りが載置される飾り台３の上に敷設される毛氈Ａであって、少なくとも飾り台３の載置面や正面部分を覆えるような矩形状の毛氈基体１を形成し、この毛氈基体１の表面がわの一部に装飾部２を形成すると共に、この装飾部２の色彩或いは素材を、毛氈基体１の色彩或いは素材と異ならしめるように形成する手段を採用した。
【０００７】
また、請求項２記載の節句用飾り台の毛氈Ａにあっては、前記装飾部２は、シート状に形成され、これを毛氈基体１の上に重なるように固着する手段を採用した。
【０００８】
更に、請求項３記載の節句用飾り台の毛氈Ａにあっては、前記装飾部２は、シート状に形成され、これを毛氈基体１に対して突合せ状態となるように固着する手段を採用した。
【考案の効果】
【０００９】
従って、本考案の請求項１記載の毛氈Ａによれば、毛氈基体１によって飾り台３の載置面や正面部分を確実に覆えるようになり、節句用飾り台３の外観上の体裁が良くなり、三月節句人形、五月節句人形、鎧、兜、その他の節句用飾りを、より豪華な雰囲気の中で飾ることができるようになる。
特に、毛氈基体１の表面がわの一部に、毛氈基体１の色彩或いは素材と異なる色彩或いは素材の野装飾部２を形成してあるので、装飾部２がアクセントとなって、毛氈Ａ自体の装飾性が増し、より豪華な雰囲気を醸し出せるようになる。
しかも、毛氈Ａ自体は、構成が簡素となり、製造し易く、量産に適し、低廉で、経済的に優れたものとなる。
【００１０】
また、本考案の請求項２記載の節句用飾り台の毛氈によれば、装飾部２を毛氈基体１に簡単に設けられるようになる。ひいては、装飾部２を毛氈基体１の任意の位置に配置できるようになると共に、複数の装飾部２を毛氈基体１に配置することも簡単に行えるようになる。
【００１１】
更に、本考案の請求項３記載の節句用飾り台の毛氈によれば、毛氈Ａ自体の厚みを均一に揃え易くなる。
【図面の簡単な説明】
【００１２】
【図１】本考案の毛氈を例示する斜視図である。
【図２】本考案の毛氈を飾り台にセットした状態を例示する正面図である。
【図３】本考案の他の毛氈を例示する斜視図である。
【図４】本考案の他の毛氈を例示する斜視図である。
【考案を実施するための形態】
【００１３】
以下、本考案を図示例に基づいて説明すると、次の通りである。
図中Ａは、例えば、三月節句人形や、五月節句人形や、鎧や、兜や、その他の節句用飾りが載置される飾り台３の上に敷設される本考案の毛氈である。
そして、この毛氈Ａは、少なくとも飾り台３の載置面や正面部分を覆えるような矩形状の毛氈基体１を形成し、この毛氈基体１の表面がわの一部に装飾部２を形成すると共に、この装飾部２の色彩或いは素材を、毛氈基体１の色彩或いは素材と異ならしめるように形成したものである。
【実施例】
【００１４】
前記毛氈基体１は、例えば、適宜布によって構成され、少なくとも飾り台３の載置面及び正面部分を覆えるようなかなり大きな面積を有する矩形状に形成されている。
尚、毛氈基体１は、飾り台３の側面部分（或いは、前がわ側面部分）をゆったりと覆うことができるようにかなり大きく形成され、外観上の体裁が良くなるように構成されたものが望ましい。
しかも、毛氈基体１の具体的構成や形状や寸法や材質等は、図示例のもの等に限定されることなく、適宜自由に設定、変更できるものである。
【００１５】
前記装飾部２は、例えば、毛氈基体１の色彩或いは素材と異なるような適宜布等によってシート状に形成されている。
しかも、装飾部２は、毛氈基体１の上に重なるように固着（例えば、接着手段、縫着手段、係着手段、或いはその他の適宜手段を採用できる）したり、或いは、毛氈基体１に対して突合せ状態（例えば、毛氈基体１の一部を刳り貫き、その部分に装飾部２を合致させた状態）となるように固着（例えば、接着手段、縫着手段、係着手段、或いはその他の適宜手段を採用できる）される。
すなわち、装飾部２を毛氈基体１に簡単に設けられるように固着したり、或いは、毛氈Ａ自体の厚みを均一に揃え易くなるように固着してある。
【００１６】
そして、図１及び図２に示す装飾部２は、円形状に形成され、毛氈基体１の前端縁寄り中央部分に配されている。
【００１７】
また、図３に示す装飾部２は、矩形状に形成され、毛氈基体１の前端縁中央部分と後端縁中央部分に跨るように配されている。
【００１８】
更に、図４に示す装飾部２は、楕円を１／４にカットしたような形状に形成され、毛氈基体１の前がわ右隅部に配されている。
【００１９】
尚、装飾部２の具体的構成や形状や寸法や材質や配設位置や数や具体的固着手段等は、図示例のもの等に限定されることなく、適宜自由に設定、変更できるものである。
【００２０】
飾り台３は、木製或いはその他の適宜材料によって多段状に形成されており、三月節句人形や、五月節句人形や、鎧や、兜や、その他の節句用飾りを安定的に載置できると共に、綺麗に配置できるように構成されている。尚、飾り台３の具体的構成や形状や寸法や材質や段数等は、図示例のもの等に限定されることなく、適宜自由に設定、変更できるものである。
【産業上の利用可能性】
【００２１】
しかして、本考案は、構成簡素で、製造し易く、量産に適し、低廉で、経済的な毛氈Ａを提供でき、この毛氈Ａにより、節句用飾り台３の外観上の体裁を良くして、装飾性を増し、より豪華な雰囲気で、三月節句人形、五月節句人形、鎧、兜、その他の節句用飾りを飾れるようにする。
【符号の説明】
【００２２】
Ａ      毛氈
１      毛氈基体
２      装飾部
３      飾り台
【図１】
0003156154.tif 000003
【図２】
0003156154.tif 000004
【図３】
0003156154.tif 000005
【図４】
0003156154.tif 000006